(57)【要約】【課題】  外部機器からの一般的な映像信号を画質設定に用いることができる映像表示装置を提供する。【解決手段】  複数種類の外部接続機器からの映像信号を表示する映像表示装置において、前記外部接続機器から出力された映像信号を入力する外部入力端子と、前記外部入力端子から入力された前記映像信号を出力した前記外部接続機器の種類を特定する手段と、前記特定された種類に最適な画質設定を行う手段とを備えたことを特徴とする映像表示装置。【選択図】      図１
2007013335.tif 000002
【特許請求の範囲】
【請求項１】
複数種類の外部接続機器からの映像信号を表示する映像表示装置において、
前記外部接続機器から出力された映像信号を入力する複数の外部入力端子と、
前記外部入力端子から入力された前記映像信号を出力した前記外部接続機器の種類を特定する手段と、
前記特定された種類に最適な画質設定を行う手段とを
備えたことを特徴とする映像表示装置。
【請求項２】
複数種類の外部接続機器からの映像信号を表示する映像表示装置において、
前記外部接続機器から出力された映像信号を入力する外部入力端子と、
前記外部入力端子から入力された前記映像信号を出力した前記外部接続機器の種類をリモートコントロールコマンドの検出により特定する手段と、
前記特定された種類に最適な画質設定を行う手段とを
備えたことを特徴とする映像表示装置。
【請求項３】
複数種類の外部接続機器からの映像信号を表示する映像表示装置において、
前記外部接続機器から出力された映像信号を入力する外部入力端子と、
前記外部接続機器のリモートコントローラの制御コードを読み取る手段と、
前記外部入力端子から入力された前記映像信号を出力した前記外部接続機器の種類を前記制御コードを読み取る手段によって得られたコードに基づいて特定する手段と、
前記特定された種類に最適な画質設定を行う手段とを
備えたことを特徴とする映像表示装置。
【請求項４】
複数種類の外部接続機器からの映像信号を表示する映像表示装置において、
前記外部接続機器から出力された映像信号を入力する外部入力端子と、
前記外部入力端子から入力された前記映像信号を出力した前記外部接続機器の種類をリモートコントロールコマンドの検出により特定する手段と、
前記外部接続機器のリモートコントローラのコードを前記外部接続機器へ向けて出力する手段と、
前記特定された種類に最適な画質設定を行う手段とを
備えたことを特徴とする映像表示装置。
【請求項５】
複数種類の外部接続機器からの映像信号を表示する映像表示装置において、
前記外部接続機器から出力された映像信号を入力する外部入力端子と、
前記外部入力端子から入力された前記映像信号を出力した前記外部接続機器の種類を前記外部接続機器のＯＳＤの表示ラベルに基づいて特定する手段と、
前記特定された種類に最適な画質設定を行う手段とを
備えたことを特徴とする映像表示装置。
【発明の詳細な説明】
【技術分野】
【０００１】
本発明は、映像表示装置に係り、特に、外部機器から入力した映像信号の画質を設定できる映像表示装置に関する。
【背景技術】
【０００２】
映像信号を表示する機器では画質を設定する機能があるのが一般的である。そしてこれまでユーザーが手動で画質を設定することが行われてきた。
一方、例えば特開平１１−１４６２８８号公報（特許文献１）によるものは、外部機器からの映像信号の再生画像に適する画質として明るさ、色の濃さ、シャープネスといった一般的な特徴を自動抽出して蓄える創案であった。しかしながら外部機器毎に適する画質で表示するには、例えばゲームの初期画面といった限定的な映像信号を認識照合する必要があり、一般的な映像信号を画質設定に用いられないという問題があった。
【特許文献１】特開平１１−１４６２８８号公報（図３）
【発明の開示】
【発明が解決しようとする課題】
【０００３】
本発明は、外部機器からの一般的な映像信号を画質設定に用いられないという問題を解決した映像表示装置を提供することを目的とする。
【課題を解決するための手段】
【０００４】
上記課題を解決するために、本発明の映像表示装置は、複数種類の外部接続機器からの映像信号を表示する映像表示装置において、前記外部接続機器から出力された映像信号を入力する外部入力端子と、前記外部入力端子から入力された前記映像信号を出力した前記外部接続機器の種類をリモートコントロールコマンドの検出により特定する手段と、前記特定された種類に最適な画質設定を行う手段とを備えたことを特徴とする。
【発明の効果】
【０００５】
本発明によれば、外部機器からの一般的な映像信号を画質設定に用いることができる映像表示装置が得られる。
【発明を実施するための最良の形態】
【０００６】
以下、本発明の実施例を説明する。
【実施例１】
【０００７】
本発明による映像表示装置の実施例１としてテレビジョンセットの例を図１及び図２を参照して説明する。図１は映像表示装置の構成図である。
図１において、テレビジョンセットの外部入力端子１（以下入力１）と外部入力端子２（以下入力２）は、各々セットトップボックス（ＳＴＢ）３のコンポジットビデオ出力とＤＶＤプレーヤー４のコンポジットビデオ出力とに接続されている。これらの映像信号入力はＡＶスイッチ回路５に入力されテレビジョンセットに内蔵されているマイクロプロセッサー６の制御によって入力１か入力２の何れか１つの信号がＡＶスイッチ回路５から選択出力された後、イメージプロセッサー回路７に入力される。フォーマット検出部８はＡＶスイッチ回路５からの選択出力のフォーマットを検出しマイクロプロセッサー６へ伝え、ＯＳＤ発生部９はＯＳＤ（オンスクリーンディスプレイ）をマイクロプロセッサー６の指令によりイメージプロセッサー回路７に伝え後図示せぬ表示デバイスに出力される。
【０００８】
図２は、イメージプロセッサー回路７の機能ブロック図である。ここで、テレビジョンセットの表示デバイスにマッチングするようフォーマット変換２１、スケーリング２２が行われた後、映像信号の特定帯域を増大させたり、微分成分を付加させるなどエンハンス処理２３が行われる。一般的にエンハンサはノイズ成分を強調させないようにするため、ディティールが損なわれない程度に、低レベル成分に対してコアリング処理(一定レベル以下をノイズと見なし、0に置き換えること)される。その後、ユーザーコントロール用にコントラスト、ブライト、カラー調整２４が実施され最終的マトリックス処理にてＲＧＢ変換２５され図示せぬ表示デバイスに出力される。ここで、このマトリックス処理とはマトリクス係数を調整することで色味の微調を行うことである。
【０００９】
入力信号がＤＶＤプレーヤー４からセットトップボックス３に切り替わった時、マイクロプロセッサー６は後述の検出手段によって接続されている種類を特定する。そこで、接続種類がセットトップボックス３であると特定されたことによりイメージプロセッサー７が制御され画質の最適化が実施される。具体的にはセットトップボックス３はＤＶＤプレーヤ４に比べ、現行のアナログ放送との両立性から放送機器に制約があるため、映像帯域が十分に確保されない場合が多い。即ち入力フォーマットが接続種類間で同一でも画質の最適化の立脚点が異なる。このため、セットトップボックス３からの映像信号を入力した場合の画質設定は、帯域の狭さを補うため低域のエンハンス量を多めにとると同時にＳＮの悪化を防ぐため、エンハンサにかけるコアリングのレベルも多めにとる。こういった設定によってセットトップボックス３からの映像信号の表示における画質設定の最適化が実施される。
【００１０】
以下、接続機器を特定する手段について説明する。図1において、マイクロプロセッサーは入力選択を行った際、表示されるＯＳＤ（オンスクリーンディスプレイ）が入力機器を示すラベルとしてユーザーが選択できる仕様とする。すなわち、ユーザーが入力１に‘ＳＴＢ、入力２に’ＤＶＤ‘と表示ラベルを選択した場合、入力１を選択するとテレビジョンセットのＯＳＤ表示は’ＳＴＢ’となり、入力２を選択した時は’ＤＶＤ‘となることでユーザーに選択した入力に接続されている機器が認識しやすくなる。こうした表示仕様を利用すれば、自動表示されるＯＳＤの表示ラベルに基づいて接続機器を特定することが可能となる。
【実施例２】
【００１１】
本発明による映像表示装置の実施例２としてテレビジョンセットの例を図２及び図３を参照して説明する。実施例１と同じ符号を付けている部分の構成、動作は実施例１と同様で有り説明を省略する。
【００１２】
図３は映像表示装置の構成図である。図１と比べリモートコントローラ１０とＩＲ検出部１１が加わっている。接続機器を判別する手段としてマイクロプロセッサー６に接続された受光素子により、ユーザーが接続機器を制御するために使用したリモートコントローラー１０のコードを読み取り、接続機器を特定する。このときマイクロプロセッサー６は対象となる外部機器のリモートコントローラー１０のコードをあらかじめ全て記憶する必要は無く、電源スイッチ、再生、停止スイッチなど外部機器を動作させる必要最低限のコードが記憶できていれば良い。
【００１３】
このコード体系としてＩＲコードなるものが16進数24桁であり次の構成とすれば、リモートコントローラ１０の上記スイッチをユーザが押すとＩＲ検出部１１はｓｔｕｖの値によりメーカ・リモコンをｗｘｙｚによりスイッチを特定し、マイクロプロセッサー６へ通知する（ｓ〜ｚは各１６進数を表す）。
【００１４】
９００Ａ  ００６Ｄ  ００００  ０００１  ｓｔｕｖ  ｗｘｙｚ
接続機器を特定する手段として、実施例１ではユーザーが予め入力１又は入力２に対応機器を設定していたのに対し、実施例２ではリモートコントローラ１０を操作することによりリモコン対応機器を自動判定する。即ち外部接続機器のリモートコントロールコマンドを検出することによって行われる。
【実施例３】
【００１５】
本発明による映像表示装置の実施例３としてテレビジョンセットの例を図２及び図４を参照して説明する。実施例１と同じ符号を付けている部分の構成、動作は実施例１と同様で有り説明を省略する。
【００１６】
図４は映像表示装置の構成図である。図１と比べＩＲ出力部１２が加わっている。テレビジョンセットから外部機器のリモコンのコードを出力端子に接続された発光素子を介して出力することでリモコンを持ち替える煩雑さや、外部機器がテレビジョンセットから遠く離れた場所にあった場合でもいちいち向きや居場所を変えたりする必要を無くすことで、外部機器の制御を簡略化できるようにした仕様であるとする。この時、外部機器はテレビジョンセットのマイクロプロセッサー６によって制御されることになるため、機器の種類も特定できる。
【００１７】
実施例１ではユーザーが予め入力１又は入力２に対応機器を設定していたが、実施例３でも同様に設定し更にＩＲ出力部１２を加えた効果として各機器のリモコンを用意せずともテレビジョンセットから各機器を操作することが可能となる。これは実施例２と同様、即ち外部接続機器のリモートコントロールコマンドを検出することによって行われる。
【図面の簡単な説明】
【００１８】
【図１】本発明による映像表示装置の実施例１の構成図。
【図２】映像表示装置の実施例１のイメージプロセッサー回路機能ブロック図。
【図３】映像表示装置の実施例２の構成図。
【図４】映像表示装置の実施例３の構成図。
【符号の説明】
【００１９】
１、２  外部入力端子
３  セットトップボックス
４  ＤＶＤプレーヤー
５  ＡＶスイッチ回路
６  マイクロプロセッサー
７  イメージプロセッサー回路
８  フォーマット検出部
９  ＯＳＤ発生部
１０  リモートコントローラ
１１  ＩＲ検出部
１２  ＩＲ出力部
２１フォーマット変換
２２  スケーリング
２３  エンハンス処理
２４  コントラスト、ブライト、カラー調整
２５  ＲＧＢ変換
【図１】
2007013335.tif 000003
【図２】
2007013335.tif 000004
【図３】
2007013335.tif 000005
【図４】
2007013335.tif 000006